(57)【特許請求の範囲】
【請求項１】
ネットワークまたはネットワークとローカル接続とを含む通信環境を介して相互接続された複数の通信機器と接続してこれらの通信機器の接続試験を行う通信試験装置において、  前記通信機器に応じて用意された接続手段と、  前記通信機器に応じて接続試験を行うための複数の接続試験の試験内容や試験手順が記載されたシナリオが格納された試験管理部と、  前記シナリオに基づいて動作する対向試験実行部と、  前記シナリオのうちの１つのシナリオ実行毎に起動制御され前記対向試験実行部を制御管理するシナリオ管理部と、を含み、  接続試験対象の通信機器に応じて前記接続手段と前記シナリオを選択して前記対向試験実行部が前記接続試験対象の通信機器と接続する通信機器に擬似化して接続試験を行う通信試験装置であって、  前記試験管理部は、  接続試験を行うための通信機器情報を記憶する通信機器記憶部と、  前記接続試験対象の通信機器への送信データ作成時又は受信データ判定時に電文フォーマットを識別して前記電文フォーマットの一部又は全部を参照可能にするためのテンプレートを記憶するテンプレート記憶部と、  前記テンプレートの構成、レイアウト枠に合わせて編集され、前記接続試験対象の通信機器へ送信する送信データを記憶する送信データ記憶部と、  前記接続試験対象の通信機器から受信した受信データを記憶する受信データ記憶部と、  前記テンプレートの構成、レイアウトに合わせて編集され、前記受信データがどのような電文なのかを判定するための判定用データを記憶する判定データ記憶部と、  前記シナリオを記憶するシナリオ記憶部と、を備え、  前記対向試験実行部は、  前記シナリオに記載されたコマンドを実行するコマンド実行部と、  前記送信データを前記接続試験対象の通信機器に送信するデータ送信部と、  前記受信データを受信するデータ受信部と、  前記判定用データによって、前記受信データを判定する受信データ判定部と、  前記接続試験対象の通信機器に応じて定められた接続条件で前記接続試験対象の通信機器とデータ通信を行う通信制御部と、を備え  前記接続試験は、  先ず、前記送信データを選択した前記接続試験対象の通信機器に送信し、  次いで、前記送信データに対応して選択した前記接続試験対象の通信機器から送信された前記受信データを受信し、  次いで、前記シナリオに記載した所定の時間の間、前記判定用データによって、受信した前記受信データの判定を行ない、  次いで、前記所定の時間の経過後、該当するケースがなくタイムアップした場合は、応答なしのメッセージを出力し、該当するケースがある場合は、前記判定の結果に従って対応する前記送信データを選択した前記接続試験対象の通信機器に送信することで行なうことを特徴とする通信試験装置。
【請求項２】
前記試験管理部は、更に、前記通信機器情報、前記シナリオ、前記送信データ、
前記判定用データを含むデータを登録・編集するための編集部を有することを特
徴とする請求項１に記載の通信試験装置。
【請求項３】
前記試験管理部は、更に、前記テンプレートを登録・編集するためのテンプレ
ート編集部とを有していることを特徴とする請求項２に記載の通信試験装置。
【請求項４】
前記試験管理部は、更に、前記受信データに含まれる判定用のキーワードを登
録・編集するためのキーワード編集部を有していることを特徴とする請求項２又
は請求項３に記載の通信試験装置。
【請求項５】
前記試験管理部は、更に、接続試験実行に先立って前記編集部で登録・編集さ
れた情報の検証を行う検証部を有していることを特徴とする請求項２から請求
項４のいずれか１項に記載の通信試験装置。
【請求項６】
前記対向試験実行部が複数の対向試験実行部から構成され、各対向試験実行部
は、選択した前記接続試験対象の通信機器の上流側と下流側の通信機器を疑似す
る前記シナリオに基づいて、選択した前記接続試験対象の通信機器の接続試験を
行うことを特徴とする請求項１から請求項５のいずれか１項に記載の通信試験
装置。
【請求項７】
所定時間毎に、前記通信環境を介して相互接続された複数の前記接続試験対象
の通信機器の一部または全部に自動的に接続試験を実行することを特徴とする
請求項１から請求項６のいずれか１項に記載の通信試験装置。
【請求項８】
１以上の前記接続試験対象の通信機器を選択する通信試験選択手段を有して
おり、選択した１以上の前記接続試験対象の通信機器に対して接続試験を実行す
ることを特徴とする請求項１から請求項６のいずれか１項に記載の通信試験装
置。
【請求項９】
請求項１から請求項８のいずれか１項に記載の通信試験装置と、前記通信試験
装置と前記通信環境を介して相互接続された前記複数の通信機器とから構成さ
れた通信機器接続試験機能を備えたことを特徴とするネットワークシステム。
【請求項１０】
請求項１から請求項８のいずれか１項に記載の通信試験装置により、前記通信
環境を介して相互接続された前記複数の通信機器の接続試験を行う通信機器の
接続試験方法において、
（ａ） 前記通信試験装置において、前記接続試験対象の通信機器を選択する行
程と、
（ｂ） 前記通信試験装置において、選択した前記接続試験対象の通信機器に応
じた前記シナリオを選択する行程と、
（ｃ） 前記通信試験装置において、選択した前記接続試験対象の通信機器との
接続様式に応じた前記接続手段を選択する行程と、
（ｄ） 前記通信試験装置において、前記シナリオに基づいて、前記対向試験実
行部を選択した前記接続試験対象の通信機器に直結する通信機器に擬似化する
行程と、
を含む通信機器の接続試験方法であって、
前記擬似化する行程は、
（ｄ−１）前記送信データを選択した前記接続試験対象の通信機器に送信する行
程と、
（ｄ−２）前記送信データに対応して選択した前記接続試験対象の通信機器から
送信された前記受信データを受信する行程と、
（ｄ−３）前記シナリオに記載した所定の時間の間、前記判定用データによって、
受信した前記受信データの判定を行なう行程と、
（ｄ−４）前記所定の時間の経過後、該当するケースがなくタイムアップした場
合は、応答なしのメッセージを出力し、該当するケースがある場合は、前記判定
の結果に従って対応する前記送信データを選択した前記接続試験対象の通信機
器に送信する行程と、
を含むことを特徴とする通信機器の接続試験方法。
【請求項１１】
請求項１０に記載の通信機器の接続試験方法の各工程をコンピュータに実行
させるためのプログラム。
【請求項１２】
請求項１１に記載のプログラムが格納されたことを特徴とするコンピュータ
可読記憶媒体。
【発明の詳細な説明】
【技術分野】
【０００１】
本発明は、通信試験装置、通信試験機能を有するネットワーク、接続試験方法および接続試験プログラムに関する。より詳しく述べると、ネットワークに接続された複数の通信機器の通信試験を実行するための通信試験装置、通信試験機能を有するネットワーク、接続試験方法および接続試験プログラムに関する。
【背景技術】
【０００２】
近年、通信サービスの形態も複雑化し、さらに高度化、多様化しているなかで、複数の通信機器から構成されるシステムが多数存在し、またこのような複数の通信機器から構成されるシステムの開発に対する要求がある。
【０００３】
例えば、図１８に示すような道路交通情報提供サービスでは、ネットワークを介して種々の通信機器が接続されている。
【０００４】
このような複数の通信機器から構成される通信システムおよびその開発においては、例えば、国際標準化機構（ＩＳＯ）により制定された、異機種間のデータ通信を実現するためのネットワーク構造の設計方針「ＯＳＩ」（Ｏｐｅｎ  Ｓｙｓｔｅｍｓ  Ｉｎｔｅｒｃｏｎｎｅｃｔｉｏｎ）に基づき、コンピュータなどの通信機器の持つべき機能を階層構造に分割したモデルである。通信機能を７階層に分け、各層ごとに標準的な機能モジュールを定義している。
【０００５】
第１層（物理層）：物理的な接続。コネクタのピンの数、コネクタ形状の規定等。銅線−光ファイバ間の電気信号の変換等（例えば、ＲＳ−２３２，  電話線・ＵＴＰ，  ハブ，  リピータ，無線，光ケーブル等）。
【０００６】
第２層（データリンク層）：直接的（隣接的）に接続されている通信機器間の信号の受け渡し（例えば、イーサネット、トークンリング、アークネット、ＰＰＰ、フレームリレー等）。
【０００７】
第３層（ネットワーク層）：ネットワークにおける通信経路の選択（ルーティング）。データ中継（例えばＩＰ、ＡＲＰ、ＲＡＲＰ、ＩＣＭＰ、ＤＨＣＰ、ＩＰＸ、ＮｅｔＢＥＵＩ）。
【０００８】
第４層（トランスポート層）：ネットワークの端から端までの通信管理（エラー訂正、再送制御等）（例えば、ＴＣＰ、ＵＤＰ、ＳＰＸ、ＮｅｔＢＥＵＩ等）。
【０００９】
第５層（セッション層）：通信プログラム間の通信の開始から終了までの手順（例えば、ＮｅｔＢＩＯＳ，ＮＷＬｉｎｋ，ＰＡＰ，名前付きパイプ等）。
【００１０】
第６層（プレゼンテーション層）：データの表現方法（例えば、ＳＭＴＰ、ＳＮＭＰ、ＦＴＰ、Ｔｅｌｎｅｔ等）。
【００１１】
第７層（アプリケーション層）：具体的な通信サービス（例えばファイル・メールの転送、遠隔データベースアクセスなど）を提供。ＨＴＴＰ、ＳＭＴＰ、ＳＮＭＰ、ＦＴＰ、Ｔｅｌｎｅｔ、Ａｐｐｌｅ  Ｔａｌｋ（登録商標）、Ｘ５００等による通信サービス。
【００１２】
また、このような複数の通信機器から構成される通信システムおよびその開発においては、通信試験に多くの手間がかかるために有効な試験システムが求められている。
【００１３】
このような通信システムにおける通信試験は、試験パターンも膨大な組み合わせ、量、となるために、自動化することが難しく、人手によって試験実施する必要があった。
【００１４】
そのため、人手によって試験実施された項目においては、試験パターンも多くなるにつれ、試験の実施ミス、また、不良事象が発生したときの入出力データ、発生タイミングなどが曖昧となってしまい、なかなか再現できないなどの問題点があった。
【００１５】
そして、試験の実施ミスに起因する事象を必要以上に深く調査してしまったり、不具合に起因する事象が見過ごされてしまったりする場合があり、このような事象が実運用にて突如発生してしまうなどの場合も考えられる。
【００１６】
【非特許文献１】NEXCO東関東支社  走路管制センターの拡張・統合説明資料（ｈｔｔｐ：／／ｗｗｗ．ｅｘｔｅｃ．ｏｒ．ｊｐ／ｐｄｆ／ｅｘｔｅｃ８０／ｐ００７．ｐｄｆ、平成２０年３月１３日検索）
【発明の開示】
【発明が解決しようとする課題】
【００１７】
より具体的には、従来の方法による通信機器の接続試験には以下のような問題点があった。
【００１８】
（１）  接続する周辺機器が既に完成し利用できることを前提にしており、実際の回線データを収集する方法のために、システム全体を新規開発する場合においては、周辺機器が存在しないので従来技術を利用した試験が実施できない。また、実際の回線データでは発生しないであろう異常系のデータを組み合わせた試験が実施できない。
【００１９】
（２）  接続される通信機器が複数で、上位通信機器と下位通信機器とで構成される場合などの同期通信の試験に対応できない。さらには、ネットワーク複数の通信手段が同時に利用される場合においても対応できない。
【００２０】
（３）  要求、応答などの電文シーケンスにおいて、応答送信までに待ち時間などを設定し、タイミング間隔を調整するなど、細かい部分の制御テストが実施できない。
【００２１】
（４）  受信した電文によって、その後のシーケンス、または電文のフォーマットが異なる場合においては、１つのシナリオで対応できないために、連続した複数の判定試験が行えない。少なくともシーケンスに必要な電文数文のシナリオを準備しなければならない。
【００２２】
（５）  電文において、一部分だけが違うデータは数多くあるが、電文のデータ全てが解析対象となっているために、判定に時間がかかり以降のシーケンスに悪影響をあたえてしまう。さらには、蓄積するデータが膨大となりディスク容量を圧迫してしまう。
【００２３】
（６）  リアルタイムで受信データを監視し、指定したキーワードを含む電文を検知することができない。少なくともシナリオに影響を受けてしまう。
【００２４】
そのため、このような複数の通信機器の接続試験を正確かつ効率的に行いたいという要求がある。
【課題を解決するための手段】
【００２５】
本発明はこのような従来技術の課題を解決するものであり、下記項目に関する。
本発明の第１実施態様によると、ネットワークまたはネットワークとローカル接続とを含む通信環境を介して相互接続された複数の通信機器と接続してこれらの通信機器の接続試験を行う通信試験装置が提供される。
【００２６】
第１実施形態の通信試験装置は、ネットワークまたはネットワークとローカル
接続とを含む通信環境を介して相互接続された複数の通信機器と接続してこれ
らの通信機器の接続試験を行う通信試験装置において、
前記通信機器に応じて用意された接続手段と、
前記通信機器に応じて接続試験を行うための複数の接続試験の試験内容や試
験手順が記載されたシナリオが格納された試験管理部と、
前記シナリオに基づいて動作する対向試験実行部と、
前記シナリオのうちの１つのシナリオ実行毎に起動制御され前記対向試験実
行部を制御管理するシナリオ管理部と、を含み、
接続試験対象の通信機器に応じて前記接続手段と前記シナリオを選択して前
記対向試験実行部が前記接続試験対象の通信機器と接続する通信機器に擬似化
して接続試験を行う通信試験装置であって、
前記試験管理部は、
接続試験を行うための通信機器情報を記憶する通信機器記憶部と、
前記接続試験対象の通信機器への送信データ作成時又は受信データ判定時に
電文フォーマットを識別して前記電文フォーマットの一部又は全部を参照可能
にするためのテンプレートを記憶するテンプレート記憶部と、
前記テンプレートの構成、レイアウト枠に合わせて編集され、前記接続試験対
象の通信機器へ送信する送信データを記憶する送信データ記憶部と、
前記接続試験対象の通信機器から受信した受信データを記憶する受信データ
記憶部と、
前記テンプレートの構成、レイアウトに合わせて編集され、前記受信データが
どのような電文なのかを判定するための判定用データを記憶する判定データ記
憶部と、
前記シナリオを記憶するシナリオ記憶部と、
を備え、
前記対向試験実行部は、
前記シナリオに記載されたコマンドを実行するコマンド実行部と、
前記送信データを前記接続試験対象の通信機器に送信するデータ送信部と、
前記受信データを受信するデータ受信部と、
前記判定用データによって、前記受信データを判定する受信データ判定部と、
前記接続試験対象の通信機器に応じて定められた接続条件で前記接続試験対
象の通信機器とデータ通信を行う通信制御部と、
を備え、
前記接続試験は、
先ず、前記送信データを選択した前記接続試験対象の通信機器に送信し、
次いで、前記送信データに対応して選択した前記接続試験対象の通信機器から
送信された前記受信データを受信し、
次いで、前記シナリオに記載した所定の時間の間、前記判定用データによって、
受信した前記受信データの判定を行ない、
次いで、前記所定の時間の経過後、前記判定の結果に従って対応する前記送信
データを前記所定の時間後に選択した前記接続試験対象の通信機器に送信する
ことで行なう。
【００２７】
なお、本発明において使用する用語「通信環境」とは、通信機器を、ネットワークを介する環境、ネットワークを介さず例えばRS232Cケーブル、ＵＳＢケーブル等により直接接続する環境および両者の組み合わせを含む通信機器同士の接続環境を意味する。
【００２８】
また、本発明において使用する用語「シナリオ」とは、接続試験の試験内容や試験手順が記載されたデータ、コマンド等から構成されたものであり、そして本発明においては、このシナリオに応じて、接続試験を行う。
【００２９】
すなわち、換言すると、本発明におけるシナリオは、本発明の接続試験装置における対向試験実行部を、接続試験を行う通信機器と直接接続される通信機器に擬似化する機能を有しているデータ群である。本発明の接続試験装置においては、通信機器およびその試験内容に応じて、同一の接続試験装置で複数の通信機器を所望に応じて各種試験内容にて接続試験を実行可能とするために複数のシナリオが用意されていることが特徴である。
【００３１】
本発明の第１実施態様の通信試験装置において、前記試験管理部が更に接続試験を行うための通信機器情報、試験項目であるシナリオ、送信データ、判定用データを含むデータを登録・編集するための編集部を有することが好ましい（第２実施態様）。
【００３２】
本発明の第２実施形態様の通信試験装置において、前記試験管理部は、更に、前記テンプレートを登録・編集するためのテンプレート編集部を有していることが好ましい（第３実施態様）。
【００３３】
本発明の第２実施態様または第３実施態様の通信試験装置において、前記試験管理部は、更に、前記受信データに含まれる判定用のキーワードを登録・編集するためのキーワード編集部を有することができる（第４実施態様）。
【００３４】
本発明の第２実施態様から第４実施態様の通信試験装置において、前記試験管理部は、更に、接続試験実行に先立って前記編集部で登録・編集された情報の検証を行う検証部を有することができる（第５実施態様）。
【００３５】
また、本発明の第１実施態様から第５実施態様の通信試験装置において、前記対向試験実行部が複数の対向試験実行部から構成され、各対向試験実行部は、選択した前記接続試験対象の通信機器の上流側と下流側の通信機器を擬似するシナリオに基づいて、選択した前記接続試験対象の通信機器と接続して接続試験を行うことができる（第６実施態様）。
【００３６】
さらに、本発明の第１実施態様から第５実施態様の通信試験装置は、所定時間毎に、前記通信環境を介して相互接続された複数の通信機器の一部または全部に自動的に接続試験を実行するか（第７実施態様）、あるいは、１以上の前記接続試験対象の通信機器を選択する通信試験選択手段を有しており、選択した１以上の前記接続試験対象の通信機器に対して接続試験を実行する（第８実施態様）ことができる。
【００３７】
本発明の第９実施態様において、本発明の通信試験装置と、前記試験装置と前記通信環境を介して相互接続された前記複数の通信機器とから構成された通信機器接続試験機能を備えたネットワークシステムが提供される。
【００３８】
このような通信機器接続試験機能を備えたネットワークシステムは、LANシステム、イントラネットシステム、プロバイダ課金システム、道路交通情報提供システム、気象情報提供システム、災害情報管理システム、列車情報管理システム、ゲートウェイ監視システム、ネットワークに基づく売買システム、情報のリアル配信システム等に好適に適用可能である。
【００３９】
本発明の第１０実施態様によると、本発明の通信試験装置を用いて前記通信環
境を介して相互接続された前記複数の通信機器の接続試験を行う通信機器の接
続試験方法において、
（ａ） 前記通信試験装置において、前記接続試験対象の通信機器を選択する行
程と、
（ｂ） 前記通信試験装置において、選択した前記接続試験対象の通信機器に応
じた前記シナリオを選択する行程と、
（ｃ） 前記通信試験装置において、選択した前記接続試験対象の通信機器との
接続様式に応じた前記接続手段を選択する行程と、
（ｄ） 前記通信試験装置において、前記シナリオに基づいて、前記対向試験実
行部を選択した前記接続試験対象の通信機器に直結する通信機器に擬似化する
行程と、
を含む通信機器の接続試験方法であって、
前記擬似化する行程は、
（ｄ−１）前記送信データを選択した前記接続試験対象の通信機器に送信する行
程と、
（ｄ−２）前記送信データに対応して選択した前記接続試験対象の通信機器から
送信された前記受信データを受信する行程と、
（ｄ−３）前記シナリオに記載した所定の時間の間、前記判定用データによって、
受信した前記受信データの判定を行なう行程と、
（ｄ−４）前記所定の時間の経過後、前記判定の結果に従って対応する前記送信
データを前記所定の時間後に選択した前記接続試験対象の通信機器に送信する
行程と、
を含むことを特徴とする通信機器の接続試験方法が提供される。
【００４０】
本発明の第１１実施態様において、本発明の通信機器の接続試験方法の各工程をコンピュータに実行させるためのプログラムが提供され、そして、第１２実施態様において、前記プログラムが格納されたコンピュータ可読記憶媒体が提供される。
【発明の効果】
【００４１】
本発明によると、接続試験を行う各通信機器や接続試験内容に応じて、その試験内容や試験手順が記載された複数のシナリオを予め用意することによって、ネットワーク等の通信環境に接続された複数の通信機器に対して試験内容に応じて接続試験を容易に実行可能となる。
【００４２】
また、本発明の好ましい実施形態において、シナリオ等を登録・編集する機能を本発明の接続試験装置に持たせることによって、拡張するネットワーク上の通信機器の接続試験や、試験項目の追加変更等にも対応可能となる。
【００４３】
さらに、このようなシナリオに対するテンプレートを持つことにより、テンプレートに基づいて新規シナリオを簡単に追加可能となる。
【発明を実施するための最良の形態】
【００４４】
以下、本発明の通信試験装置を添付図面に基づいて詳細に説明する。
図１は、本発明の通信試験装置の全体構成の一例を示す概略図であり、図２Ａ及び図２Ｂは、各々本発明の通信試験装置の全体構成の別の一例を示す概略図であり、図３は、本発明の通信試験装置の全体構成の一例を示す概略図であり、そして図４は、図３に示す本発明の接続試験装置の試験管理部の構成の一例を示す図面である。
【００４５】
また、図５は、本発明の通信試験装置に格納された通信機器との接続方式、接続・データ送受信のための情報（通信機器の情報）の一例を示す図面であり、図６は、本発明の通信試験装置に格納されたテンプレート情報の一例を示す図面であり、図７Ａ及び図７Ｂは、本発明の通信試験装置に格納されたテンプレート情報の別の一例を示す図面であり、図８は、本発明の通信試験装置における受信データ記憶部及び判定データ記憶部の構成情報の一例を示す図面であり、図９は、本発明の通信試験装置に格納されたシナリオ情報の別の一例を示す図面である。
【００４６】
また、図１０は、本発明におけるシナリオの一例を示す図面であり、そして図１１Ａは、図１０に示すシナリオを実行した場合のシーケンス図であり、図１１Ｂは、本発明の特定の実施形態における通信試験装置内のデータ処理フローも合わせて説明した図である。
【００４７】
まず、図１から図４に基づいて本発明の通信試験装置の全体を説明する。
まず、本発明の第１実施形態に係る通信試験装置の最も基本的な構成を示す概略図である図１に基づいて、本発明の基本構成を説明する。
【００４８】
図１に示す通り、本発明の通信試験装置Ｄは、ネットワークＮを介して複数の通信機器Ｃ・・・と接続可能なコンピュータシステムから構成されており、複数のシナリオを記憶した試験管理部１０と、シナリオ管理部２０と、対向試験実行部３０とから主として構成されている。
【００４９】
図１に示す第１実施形態において、試験管理部１０は、通信機器Ｃ・・・、接続試験の内容に応じて予め用意されているシナリオが格納された記憶手段を備えている。第１実施形態において、試験内容および試験手順及び該当する通信機器Ｃにより選択したシナリオに応じて、シナリオ管理部２０が、対向試験実行部３０を制御・管理して、接続試験対象となる通信機器Ｃｔと直接接続する通信機器Ｃに擬似化させる構成を有している。
【００５０】
対向試験実行部３０は、試験管理部１０に記憶されて選択されたシナリオに応じて、接続試験を実行する通信機器Ｃｔの直近上流側又は直近下流側の通信機器を擬似化して、選択したシナリオに沿って電文のやりとりを行って当該通信機器Ｃｔの接続試験を実行する機能を有している。
【００５１】
シナリオ管理部２０は、選択したシナリオを読み込んで、１つのシナリオ実行ごとに起動制御され、対向試験実行部３０を制御管理する機能を有している。すなわち、通信環境（ネットワークＮ）に存在する試験対象となる通信機器Ｃｔとその試験内容が定まると、その通信機器Ｃｔに対する接続試験に対応するシナリオが決定される（図中、選択されたシナリオ）。この選択されたシナリオに基づいて対向試験実行部３０を試験対象となる通信機器Ｃｔと接続する通信機器Ｃに擬似化するための起動制御を行うのがシナリオ管理部２０である。
【００５２】
このように第１実施形態において、通信機器、試験内容に応じてシナリオを用意して、そしてシナリオ管理部２０により各シナリオの制御管理を行っているので、本発明の接続試験装置Ｄは、複数の通信機器と接続された通信機器Ｃに対する接続試験を容易に実行することが可能となる。
【００５３】
次に、本発明の第２実施形態を図２に基づいて説明する。図２Ａは、複数の対向試験実行部３０を備えた接続試験装置の一例を示し、そして図２Ｂは、複数の対向試験実行部３０を備えた接続試験装置の別の例を示している。図２Ａ、図２Ｂに示す通り、対向試験実行部３０を複数備えることにより、後述する通り、複数の通信機器Ｃに対する同時接続試験を実行することが可能である。さらに１つの通信機器Ｃに対して上流側と下流側の通信機器に対向試験実行部３０を擬似化して送信側接続試験と受信側接続試験を実行することが可能となる（図２Ｂ、図１１から図１３参照）。すなわち、本発明においては、選択されたシナリオに応じて１又は複数の対向試験実行部３０の制御を行う。図２Ａに示す通り、複数のシナリオを同時に起動して対向試験を実行することも、図２Ｂに示す通り、１つのシナリオにより複数の対向試験実行部３０の制御を行って対向試験を実行することも本発明の範囲内である。
【００５４】
次に、図３及び図４に基づいて、本発明の第３実施形態を説明する。第３実施形態に係る接続試験装置Ｄは、図３に示す通り、試験管理部１０が、シナリオ等のデータを記憶する記憶部１２に加えて、シナリオ等のデータを編集する編集部１１と、接続試験結果を検証するための検証部１３を備えている。
【００５５】
より具体的に説明すると、図４に示す通り試験管理部１０は、本発明の通信試験装置Ｄ全体を管理する機能を有しており、画面操作による登録編集、検証、データ登録、シナリオ動作などの機能を制御管理する機能を有するソフトウェアから構成されている。
【００５６】
編集部１１は、本発明の通信試験装置Ｄにおいて画面操作による登録編集、検証、データ登録、シナリオ動作などの機能を制御管理する機能を有しており、テンプレート編集部１１ｂ、送信データ編集部１１ｃ、判定データ編集部１１ｄ、キーワード編集部１１ｅ、シナリオ編集部１１ｆから主として構成されている。
【００５７】
通信機器編集部１１ａは、試験対象となる通信機器Ｃ、Ｃ・・・（図３参照）との接続方式、接続・データ送受信のための情報（通信機器の情報）を登録、編集するための画面機能を有している。
【００５８】
テンプレート編集部１１ｂは、通信機器Ｃへの送信データ作成時、また受信データ判定時に、電文フォーマットを識別して部分的な参照などを可能にするためのテンプレートを登録、編集するための画面機能を有している。なお、テンプレートは、後述する通り、複数のレイアウト枠を組み合わせることができる。
【００５９】
送信データ編集部１１ｃは、通信機器へ送信するデータを登録、編集するための画面機能を有しており、テンプレート編集部１１ｂにて登録した、テンプレートの構成、レイアウト枠に合わせて、送信データの編集を行うことができる。
【００６０】
判定データ編集部１１ｄは、図３に示す通信機器Ｃ、Ｃ・・・のうち接続試験対象となる通信機器から受信したデータがどのような電文なのか判定するための判定用データを登録、編集するための画面機能を有している。また、判定データ編集部１１ｄは、テンプレート編集部１１ｂにて登録した、テンプレートの構成、レイアウト枠に合わせて、要素ごとに判定用データを登録することができる。さらに、判定データ編集部１１ｄは、後述するキーワード編集部１１ｅにて登録した、判定用キーワードを登録することができる。
【００６１】
キーワード編集部１１ｅは、通信機器Ｃから受信したデータ中に含まれる、判定用のキーワードを登録、編集するための画面機能を有している。
【００６２】
シナリオ編集部１１ｆは、各実行用コマンドを組み合わせた本発明にいうシナリオを登録、編集するための画面機能を有している。
【００６３】
そして、これらの各編集部１１ａから１１ｆで登録編集された情報は、記憶部５０に格納される。なお、本発明で言う画面機能とは、エディタなどの登録編集用のソフトウェアを呼び出して、例えば後述する図５から図１０に示す通りに格納する情報を登録・編集させる画面編集機能を言う。
【００６４】
このように、第３実施形態において試験管理部１０に編集部１１を設けることにより、シナリオをはじめとする本発明の接続試験装置Ｄにより接続試験を実行するための各種データを登録・編集を行うことが可能となる。
【００６５】
記憶部１２は、編集部１１で登録・編集した各データを記憶する記憶手段、例えばハードディスク、光磁気ディスクなど当該技術分野に周知の記憶手段から構成されている。
【００６６】
より具体的には第３実施形態における記憶部１２は、通信機器記憶部１２ａ、テンプレート記憶部１２ｂ、送信データ記憶部１２ｃ、送信データ記憶部１２ｄ、判定データ記憶部１２ｅ、キーワード記憶部１２ｆ、コマンド記憶部１２ｇ、シナリオ記憶部１２ｈ、シナリオ実行結果記憶部１２ｉから主として構成されている。
【００６７】
通信機器記憶部１２ａは、試験対象となる通信機器Ｃとの接続方式、接続・データ送受信のための情報（通信機器の情報）を記憶、保存するための記憶部である。
【００６８】
通信機器記憶部１２ａに記憶される通信機器Ｃとの接続方式、接続・データ送受信のための情報（通信機器の情報）は、例えば図５に示すようなデータベース構造で記憶する。より具体的には、通信機器の情報は、図５（ａ）に示す通り、通信機器管理ＩＤ、通信制御部の識別情報、通信機器名などから構成された第１のテーブル、図５（ｂ）に示す通り、図５（ａ）に示す第１のテーブルと関連付けされた（通信制御部の識別情報の識別ＩＤにより関連付けされた）接続方式、詳細情報等から構成された第２のテーブル、及び図５（ｃ）に示す通り、第２のテーブルと関連付けされた詳細情報テーブル（すなわち、詳細識別ＩＤ．、相手ＩＰアドレス、相手ポート番号、自分ＩＰアドレス、自分ポート番号等の情報を管理するテーブル）から構成される。
【００６９】
テンプレート保存部１２ｂは、テンプレートを記憶、保存するための記憶部である。なお、本発明でいうテンプレートは、通信機器Ｃへの送信データ作成時、また受信データ判定時に電文フォーマットを識別して部分的な参照などを可能にするためのデータであり、テンプレート編集部１１ｂで登録又は編集される。
【００７０】
例えば、テンプレート情報は、図６に示すようなデータベースとして記憶される。より具体的には、図６（ａ）に示すようなテンプレート管理ＩＤ．、テンプレート構成情報、テンプレート名などを管理する第１のテーブル、図６（ｂ）に示すような第１のテーブルのテンプレート構成情報と関連付けされたテンプレート構成管理ＩＤ．、レイアウト管理通番、開始位置、固定長／可変長の種別、ブロッキングの有無／ブロッキング数等のテンプレート構成を管理する第２のテーブル及び図６（ｃ）に示すようなレイアウト管理情報と関連付けされたレイアウト管理ＩＤ，要素を示す開始位置、要素を示すサイズ、要素名等のレイアウトを管理する第３のテーブル等から構成される。
【００７１】
また、テンプレートは、例えば、図７Ａに示す通り、アプリケーションレベルの電文フォーマットに対して、部分的な参照や抽出を行うことができるようにレイアウト枠を介して識別可能とすることが好ましい（図７参照）。そして、テンプレートは、例えば図７Ｂに示す通り、多用な電文フォーマットに対して柔軟に対応できるように、複数のレイアウト枠の組み合わせが可能な構成にすることが好ましい。なお、伝送レベルのレイアウト枠は、それぞれ伝送プロトコル規格に従ったテンプレートとして作成する。
【００７２】
送信データ記憶部１２ｃは、通信機器Ｃに送信するデータを記憶、保存するための記憶部であり、受信データ記憶部１２ｄは通信機器Ｃから受信したデータを記憶、保存するための記憶部であり、そして判定データ記憶部１２ｅは通信機器から受信したデータがどのような電文なのか、判定するための判定用データを記憶、保存する記憶部である。
【００７３】
これらの送信データ記憶部１２ｃ、受信データ記憶部１２ｄ及び判定データ記憶部１２ｅの構成情報の例を図８に示す。図８に示す通り、これらの構成情報は、各々データ管理ＩＤ．、テンプレート管理ＩＤ．、通信機器管理ＩＤ．等から構成された第１のテーブルと、データ管理ＩＤ．により関連付けされたデータ識別内容から構成された第２のテーブルとから構成されている。
【００７４】
キーワード記憶部１２ｆは通信機器から受信したデータ中に含まれる、判定用のキーワードを記憶、保存する記憶部であり、コマンド記憶部１２ｇはシナリオ内に指定される各コマンドの定義、仕様を記憶、保存する記憶部である。
【００７５】
シナリオ記憶部１２ｈは、後述するシナリオ検証部１３ｂにて検証されたシナリオ、またシナリオ内で指定された関連情報（通信機器、送信データ、判定データ、テンプレート）を記憶、保存するための記憶部である。
【００７６】
シナリオ記憶部１２ｇは、例えば図９に示す通り、シナリオ管理ＩＤ、通信機器の構成情報、シナリオ名などを管理する第１のテーブルと通信機器の構成情報と関連付けされた構成管理ＩＤ．と通信機器管理ＩＤ．等から構成された第２のテーブルから構成されたデータベース情報としてシナリオを記憶する。
【００７７】
また、具体的なシナリオとして、例えば図１０に示すシナリオを挙げることができる。このシナリオは、接続試験手順に沿って、各実行コマンドを組み合わせて記述されている。シナリオに記述された簡易的なコマンド指定により柔軟な接続試験、特に自動的に接続試験を実行することが可能となる。なお、図１０に記載したシナリオにおいて、／／部分の後に各コマンドの説明を記載しておく。
【００７８】
図１１Ａに示すシーケンス図に示す通り、このようなシナリオに基づいて通信機器Ｃ２と通信機器Ｃ１に擬似化して試験対象の通信機器Ｃと接続試験を実施することが可能となる。なお、図１１Ａ中、（Ａ）部分は図１０のライン６〜ライン２１部分のコマンド、（Ｂ）部分は図１０中のライン２３〜ライン３４部分のコマンド、そして（Ｃ）部分はライン３６〜４２部分のコマンドの実行を示す。
【００７９】
シナリオ実行結果記憶部１２ｉは、実行されたシナリオの結果を、コマンドごとの実行結果、受信データなどと関連付けして記憶、保存する記憶部である。
【００８０】
なお、これらの記憶部は、ハードディスク、磁気記録媒体などの従来公知のストレージ手段に、例えばパーテーションを区切って保存されている。
【００８１】
本発明の通信試験装置Ｄにおけるシナリオ管理部２０は、シナリオ記憶部１２ｈに登録記憶されたシナリオを、１つのシナリオ実行ごとに起動制御され、対向試験実行部３０を制御管理する機能を有している。
【００８２】
すなわち、例えば後述する図１３に示す構成の試験システムにおいて、図１０、図１１Ａ及び図１１Ｂに示した通りの接続試験パターンに沿って、各実行用コマンドを組み合わせて記述するシナリオに基づいて、本発明の試験装置Ｄにおける対向試験実行部３０を接続試験する通信装置Ｃの直近の通信機器を擬似して接続試験を実施する。シナリオは、各対向試験実行部を擬似通信機器として機能させるものであり、接続試験に応じて対向試験実行部３０を通信機器に擬似化させる機能を有している。そして、シナリオを実行し、対向試験実行部を制御するのがシナリオ管理部２０である。
図１０，図１１Ａ、図１１Ｂに示すカッコ内の数字は、それぞれが対応している。図１１Ｂにおいてシナリオ実行部が、疑似通信機器Ｃ１側のコマンド実行部３１ａに対して、送信データａａａを送信するコマンドの実行を指示する（Ｓ１）。疑似通信機器Ｃ１は、電文ａａａを試験対象に送信する（１）。電文ａａａを受信した試験対象は、何らかの電文を疑似通信機器Ｃ１に送信する（２）。疑似通信機器Ｃ１は受信電文の判定を行い、判定結果に従って対応する電文（ｃｃｃ，ｅｅｅまたはｇｇｇ）を試験対象に送信する（３）。以降、試験シナリオに記載された手順で試験が実行されていく。
【００８３】
このように、本発明は、例えばＯＳＩ指針に準拠した複数の通信機器を有するネットワークシステムにおいて各通信機器に対する接続試験を行うための接続試験装置であり、編集部と、試験管理部と、対向試験実行部と、判定結果を出力する判定結果出力部とから構成されているので、ネットワークシステムを構成する各通信機器の接続試験を容易に実施できる。
【００８４】
次に、図１２から図１４に基づいて本発明の通信試験装置を用いた通信機器への具体的接続試験を説明する。
【００８５】
図１２は、本発明の通信試験装置を用いた通信機器の接続試験の一例を示す図面であり、図１３は、本発明の通信試験装置を用いた通信機器の接続試験の別の一例を示す図面であり、そして図１４は、本発明の通信試験装置を用いた通信機器の接続試験の更に一例を示す図面である。
【００８６】
図１２に示す例は、通信機器Ｃ１、Ｃ２、Ｃ３、Ｃ４がそれぞれイーサネットに接続され、それぞれのシナリオ（試験項目）を元に、個別の試験を同時に実施したい場合の試験構成例である。
【００８７】
図１２に示す通り、この例において試験対象の通信機器Ｃ２およびＣ４の対向側には各々通信機器Ｃ１および通信機器Ｃ３がＴＣＰ／ＩＰにより接続されている。
【００８８】
この場合には２組のシナリオおよび２つの対向試験実行部を用意する。第１のシナリオおよび第１の対向試験実行部は、通信機器Ｃ２の接続試験を実行するために通信機器Ｃ１を擬似して通信機器Ｃ２との間でデータの送受信を行って接続試験を実行し、そして実行した接続試験結果を判定する構成となっている。そのため、第１のシナリオは、対向試験実行部（Ｃ１疑似）と接続試験対象である通信機器Ｃ２とを所定の接続様式で接続する。
【００８９】
同様にして、対向試験実行部３０は、通信機器Ｃ４の接続試験を実行するために通信機器Ｃ３を擬似して通信機器Ｃ４との間でデータの送受信を行って接続試験を実行し、そして実行した接続試験結果を判定する構成となっている。そのため、第２のシナリオは、対向試験実行部（Ｃ３疑似）と接続試験対象である通信機器Ｃ４とを所定の接続様式で接続する。
【００９０】
このように構成することによって、本発明の通信試験装置Ｄは、通信機器Ｃ２と通信機器Ｃ４との複数の通信機器と同時に接続試験を実行することが可能となる。
【００９１】
また、図１３に示す通り本発明の通信試験装置Ｄは、複数の対向試験装置Ｃ、Ｃ・・・を、接続試験を実行する通信機器の上流側直近の通信機器と、接続試験を実行する通信機器の下流側直近の通信機器とを擬似化して、接続試験を実行することが可能である。
【００９２】
すなわち、図１３に示す例は、上位の通信機器Ｃ１と下位の通信機器Ｃ２、試験対象の通信機器Ｃ３２がそれぞれイーサネットに接続され、連動したシナリオ（試験項目）を元に、同期試験を実施したい場合の試験構成例を示している。このような構成の接続試験は、前述した図１０に示すシナリオに基づいて、図１１Ａ及び図１１Ｂに示す試験手順に沿って接続試験が実行される。
【００９３】
この場合、第１の対向試験実行部３０ａは、接続試験を実行する通信機器Ｃ２に上流側直近の（上位の）通信機器Ｃ１を擬似化し、一方第２の対向試験実行部３ｂは、接続試験を実行する通信機器Ｃ３に下流側直近の（下位の）通信機器Ｃ２を擬似化して接続する構成となっている。
【００９４】
この際に、本発明の通信試験装置Ｄにおける各接続手段５０は、通信機器Ｃ１、Ｃ２から通信機器Ｃ３の接続方式に準拠してＴＣＰ／ＩＰにより通信できる接続環境を提供する接続手段である。この場合、接続手段はハードウェア的にいくつか用意して、対向試験実行部と適合する接続手段をソフトウェア的に切り替えることによって通信環境を構築することができる。
【００９５】
このようにして、通信機器Ｃ２に適合する接続手段を用意して、二つの対向試験実行部３０ａ、３０ｂを各々直近の通信機器Ｃ１、Ｃ３に擬似化させることによって接続試験を実行することが可能となる。なお、この際に、本来の通信機器Ｃ２が稼働している場合においても、通信機器Ｃ１から、通信機器Ｃ２に擬似化した対向試験実行部３０ｂへの電文の送信は、通信機器Ｃ１を一時的にディスエーブルするコマンド、対向試験実行部３０ｂへの電文の送信先指定などにより容易に実現可能である。
【００９６】
このように構成することによって、本発明の通信試験装置は、上流側と下流側に挿まれた通信機器Ｃ３の接続試験を、対向試験実行部３０ａ、３０ｂを各々上流側、下流側の通信機器に擬似化することによって実行することが可能となる。
【００９７】
また、本発明の通信試験装置Ｄは、図１４に示す通り上位の通信機器Ｃ１、通信機器Ｃ２と、試験対象の通信機器Ｃ３がそれぞれイーサネットに接続した環境で、さらに下位の通信機器Ｃ４と、試験対象の通信機器ＣがＲＳ−２３２Ｃにてローカル接続した環境で、通信機器Ｃ３に対して連動したシナリオ（試験項目）を元に同期試験を実施したい場合にも適用可能である。
【００９８】
このように構成した本発明の通信試験装置Ｄは、所定時間毎に、ネットワークを介して接続された複数の通信機器Ｃの一部または全部に自動的に接続試験を実行することができる。これに加えて、例えば、本発明の通信試験装置Ｄに１以上の試験する通信機器を選択する通信試験選択手段をもたせて、この通信試験選択手段により選択した１以上の通信機器Ｃに対して接続試験を実行することも可能である。
【００９９】
（ネットワークの説明）
このように構成した本発明の通信試験装置Ｄは、各種通信環境に相互接続された複数の通信機器に対して接続試験を選択手段により選択しあるいは自動的に実行可能であるが、本発明の好ましい実施形態において、上位、下位の通信機器環での通信の連動を行うシステムにおける接続試験を行うことができる。特にアプリケーションレベルでの電文の接続試験を効率よく行うことができる。
【０１００】
以下、本発明の通信試験装置を備えたネットワークシステムについて、図１５から図１９に基づいて説明する。
【０１０１】
図１５は、本発明の通信試験装置を備えたネットワークシステムの一例を示す図面であり、図１６は、図１５に示すネットワークシステムにおける接続試験の一例を示すシーケンス図であり、図１７は、図１５に示すネットワークシステムにおけるデータ処理を示す図面であり、図１８は、本発明の通信試験装置を適用可能なネットワークシステムの別の一例を示す図面であり、そして図１９は、図１８に示すネットワークシステムにおける接続試験の一例を示すシーケンス図である。
【０１０２】
本発明の通信試験装置Ｄを備えたシステムは、図１５に示す通りプロバイダ課金システムや図１８に示す道路交通情報提供システム等の複数の通信機器を備えたネットワークに適用可能であり、本発明の通信試験装置Ｄにより、ネットワークを構成する各種通信機器の接続試験を実行することが可能となる。
【０１０３】
また、本発明の接続試験機能を有するネットワークシステムとして、プロバイダ課金システム及び道路交通情報提供システムの他に、気象情報管理システム、地震情報管理システム、河川、水位情報管理システム、ネットワークゲートウェイシステム、無線基地局ゲートウェイシステム、証券、先物などの売買システム、情報ベンダからのリアルタイム配信システム等の各種ネットワークシステムを挙げることができるが、本発明はこれらのネットワークシステムに限定されるものではない。
【０１０４】
まず、図１５から図１７に基づいて本発明の通信試験装置を備えたプロバイダ課金システムについて説明する。
【０１０５】
図１５に示す通り、本発明のプロバイダ課金システムは、複数のサービスプロバイダサイトのサーバ１，２（通信機器Ｃ１、通信機器Ｃ２）、課金管理サーバ（通信機器Ｃ３）、複数のユーザ端末１、２，３（通信機器Ｃ４、通信機器Ｃ５、通信機器Ｃ６）および本発明の通信試験装置Ｄとから構成されている。
【０１０６】
このようなネットワークシステムにおいて、例えば通信試験装置Ｄを、各々課金管理サーバ（通信機器Ｃ３）及びユーザ端末１（通信機器Ｃ４）に擬似化して、サービスプロバイダ１（通信端末Ｃ１）と接続試験が実行される。
【０１０７】
この場合の本発明の通信試験装置で擬似化したユーザ端末１（通信機器Ｃ４）と、サービスプロバイダ１（通信端末Ｃ１）と、本発明の通信試験装置で擬似化した課金管理サーバ（通信機器Ｃ３）とのデータの流れは、図１６に示す通りである。
【０１０８】
そして、このデータの流れに沿った本発明の通信試験装置と試験対象装置であるサービスプロバイダサーバとの間の流れは、図１７に示す通りである。
【０１０９】
すなわち、本発明の通信試験装置Ｄのうち、対向試験実行部３０ａを通信機器Ｃ４であるユーザ端末１に擬似化し、そして対向試験実行部３０ｂを通信機器Ｃ５である課金管理サーバに擬似化してサービスプロバイダとデータ（電文（１）〜（９））の送受信を行い、送受信データの判定を行う。
【０１１０】
このように構成することによって、本発明の通信試験装置Ｄを備えたネットワークシステムであるプロバイダ課金システムは、自動的にあるいは端末、課金管理サーバと接続されたサービスプロバイダサーバの接続試験を実行することを指定することにより、接続試験を実行することが可能となる。
【０１１１】
図１８及び図１９に示す道路交通情報提供システムでも、図１５から図１８に示すプロバイダ課金システムと同様にして各通信機器間の接続試験を実行することが可能である。この場合のデータの流れは図１５から図１８に示すプロバイダ課金システムと同様であるのでその詳細な説明は省略する。
【産業上の利用可能性】
【０１１２】
以上説明した、本発明は以下の優れた効果を奏する。
（１）  本発明の通信試験装置を用いると、従来のように多くの周辺機器をそろえることなく接続試験が実施可能となり、他の通信機器の開発遅れに影響を受けることなく、接続試験が実施可能となる。
【０１１３】
（２）  本発明の通信試験装置は、複数の通信をサポートするために、複数の通信機器を同時に擬似することができ、上位と下位に位置するなどの通信機器との連動(連携)動作についての接続試験が可能である。さらに、複数の通信手段が同時に使用される場合おいても連動試験が可能である。
【０１１４】
（３）  本発明の通信試験装置は、受信した電文によって、その後の電文シーケンスが変化するような、複数の判定処理においても、ひとつのシナリオで実施可能である。
【０１１５】
（４）  本発明の通信試験装置は、特にテンプレート機能を有効に活用することで、要求、応答などの電文シーケンスにおいて、待ち時間などを設定したタイミング間隔を意識した、細かい部分の制御テストが実施可能となる。
【０１１６】
（５）  本発明の通信試験装置における電文判定の処理においては、レイアウト枠の区切り単位で、判定データ、ワイルドカードなどを指定できるため、試験の処理スピードの高速化、蓄積するデータ量も最小限に抑えることができる。
【０１１７】
（６）  リアルタイムで受信データを監視し、指定したキーワードを含む電文を検知することが可能となり、シナリオに影響を受けないで受信データのクリッピングが可能となる。
【図面の簡単な説明】
【０１１８】
【図１】本発明の通信試験装置の全体構成の一例を示す概略図である。
【図２Ａ】本発明の通信試験装置の全体構成の別の一例を示す概略図である。
【図２Ｂ】本発明の通信試験装置の全体構成の更に別の一例を示す概略図である。
【図３】本発明の通信試験装置の全体構成の一例を示す概略図である。
【図４】図３に示す本発明の接続試験装置の試験管理部の構成の一例を示す図面である。
【図５】本発明の通信試験装置に格納された通信機器との接続方式、接続・データ送受信のための情報（通信機器の情報）の一例を示す図面である。
【図６】本発明の通信試験装置に格納されたテンプレート情報の一例を示す図面である。
【図７Ａ】本発明の通信試験装置に格納されたテンプレート情報の別の一例を示す図面である。
【図７Ｂ】本発明の通信試験装置に格納されたテンプレート情報の更に別の一例を示す図面である。
【図８】本発明の通信試験装置における送信データ記憶部、受信データ記憶部及び判定データ記憶部の構成情報の一例を示す図面である。
【図９】本発明の通信試験装置に格納されたシナリオ情報の一例を示す図面である。
【図１０】本発明におけるシナリオの一例を示す図面である。
【図１１Ａ】図１０に示すシナリオを実行した場合のシーケンス図である。
【図１１Ｂ】本発明の特定の実施形態における通信試験装置内のデータ処理フローも合わせて説明した図である。
【図１２】本発明の通信試験装置を用いた通信機器の接続試験の一例を示す図面である。
【図１３】図１３は、本発明の通信試験装置を用いた通信機器の接続試験の別の一例を示す図面である。
【図１４】本発明の通信試験装置を用いた通信機器の接続試験の更に一例を示す図面である。
【図１５】本発明の通信試験装置を備えたネットワークシステムの一例を示す図面である。
【図１６】図１５に示すネットワークシステムにおける接続試験の一例を示すシーケンス図である。
【図１７】図１５に示すネットワークシステムにおけるデータ処理を示す図面である。
【図１８】本発明の通信試験装置を適用可能なネットワークシステムの別の一例を示す図面である。
【図１９】図１８に示すネットワークシステムにおける接続試験の一例を示すシーケンス図である。
【符号の説明】
【０１１９】
Ｃ    端末
Ｃｔ  試験対象端末
Ｄ    通信試験装置
Ｎ    ネットワーク
１０  試験管理部
１１  編集部
１２  記憶部
１３  検証部
２０  シナリオ管理部
３０  対向試験実行部
５０  接続手段
【図１】
0005379994.tif 000002
【図２Ａ】
0005379994.tif 000003
【図２Ｂ】
0005379994.tif 000004
【図３】
0005379994.tif 000005
【図４】
0005379994.tif 000006
【図５】
0005379994.tif 000007
【図６】
0005379994.tif 000008
【図７Ａ】
0005379994.tif 000009
【図７Ｂ】
0005379994.tif 000010
【図８】
0005379994.tif 000011
【図９】
0005379994.tif 000012
【図１０】
0005379994.tif 000013
【図１１Ａ】
0005379994.tif 000014
【図１１Ｂ】
0005379994.tif 000015
【図１２】
0005379994.tif 000016
【図１３】
0005379994.tif 000017
【図１４】
0005379994.tif 000018
【図１５】
0005379994.tif 000019
【図１６】
0005379994.tif 000020
【図１７】
0005379994.tif 000021
【図１８】
0005379994.tif 000022
【図１９】
0005379994.tif 000023